(57)【特許請求の範囲】
【請求項１】
接栓用凹部および接栓挿通孔を備えたボス部ならびにボス部の両側に一体的に形成された一対の取付部、および接栓用凹部の裏面から垂下して形成された一対の係止片を備えた合成樹脂製の前面カバーと；
輪郭がほぼ直方体形状をなして内部が空洞であり、同軸ケーブル接続用の接栓の金属製筒状接触片が一体成形された上面、および、ボス部から取付け部が延在する方向に対してほぼ直角をなす一対の側面のいずれか一方または両方に開放面、さらにボス部から取付け部が延在する方向に対してほぼ平行となる一対の側面に前面カバー係止溝を有し、接栓用凹部内に接栓が配置されるように接栓を接栓挿通孔に挿通させるとともに、前面カバーの係止片を前面カバー係止溝に係止することで前面カバーを前面側に装着する金属枠と；
金属枠装着された端子部と；
金属枠内部空洞に配線基板の基板面が金属枠の開放面と対向するように金属枠の開放面側から収納され、接栓および端子部間に接続されたテレビジョン信号回路モジュールと；
金属枠の開放面を覆うとともに、前面カバーの側壁が上部を押えることで金属枠から落下しないように構成されている金属カバーと；
を具備していることを特徴とするテレビジョン用配線器具。
【請求項２】
前面カバーは、はめ込みにより金属枠に装着されていることを特徴とする請求項１記載のテレビジョン用配線器具。
【請求項３】
端子部は、信号端子およびシールド端子を備え、信号端子がはめ込みにより金属枠に装着されていることを特徴とする請求項１または２記載のテレビジョン用配線器具。
【請求項４】
金属枠、テレビジョン信号回路モジュール、金属カバーおよび端子部は、ユニット化されていることを特徴とする請求項１ないし３のいずれか一記載のテレビジョン用配線器具。
【請求項５】
端子部は、その一対が前面カバーの取付部側のボス部の両端部に正対するように金属枠に装着されていることを特徴とする請求項１ないし４のいずれか一記載のテレビジョン用配線器具。
【請求項６】
前面カバーは、配線器具の日本工業規格の大角形取付モジュールサイズに対応する１モジュールサイズまたは３モジュールサイズに形成されていることを特徴とする請求項１ないし５のいずれか一記載のテレビジョン用配線器具。
【発明の詳細な説明】
【０００１】
【発明の属する技術分野】
本発明は、テレビジョンターミナルなどのテレビジョン用配線器具に関する。
【従来の技術】
図１５は、特公平７−１０１６２３号公報に記載されている従来のテレビジョン用配線器具を示す分解斜視図である。
【０００２】
従来のこの種配線器具は、以下のとおりの構造である。すなわち、コ字状に曲成した金属製のシールドケース用分割体２ａ、２ｂを２個組み合わせてほぼ直方体状に構成したシールドケースと、上面中央部にコンセント部位を設けた突出台１ａを一体に形成し底面部をシールドケース２上面に載置するカバー１とからなり、外径寸法を配線器具の取付枠に３個連設できる１個モジュール寸法に対応させるとともにカバー１の両端部に配線器具の取付枠に係止させるための一対の係止突起４３、４３を形成し、絶縁材からなり同軸ケーブルの信号線を接続する端子金具２１を設けた端子台２０を同軸ケーブルの接続方向が上記カバー１の突出台に対して斜め方向となるようにシールドケース２側面に設け、コンセント部位には筒状電極体７とこの筒状電極体７の中心部に設けた受刃金具３８とからなる、同軸ケーブルやＦ型接栓接続用の接続手段を設け、シールドケース２には信号回路を配線し上記受刃金具３の端部を半だ付け接続して信号回路に電気的に接続するとともに上記端子金具２１の端部を半だ付けして電気的に接続した、プリント基板３４を収納し、筒状電極体７の端部をシールドケース２に電気的に接続し、上記端子金具２１は同軸ケーブルの信号線を圧入する端子板２６と接触ばね４とで形成し、同軸ケーブルのシールド線を押さえる押さえ金具１５の一端をシールドケース２側面に回動自在に掛止し、他端を圧縮ばね１８を介して締付ビス１６によりシールドケースに拡開自在に取り付けてなる構造である。
【発明が解決しようとする課題】
テレビジョン放送は、使用する周波数帯がＶＨＦ帯およびこれより高いＵＨＦ帯から、さらに人工衛星を用いるＳＨＦ帯へと周波数の利用範囲が著しく拡大している。ＳＨＦ帯の中でもＢＳ放送よりＣＳ放送の方が周波数が高い。
【０００３】
特にＳＨＦ帯の周波数を用いているＢＳ放送やＣＳ放送のテレビジョン信号を扱うテレビジョン用配線器具においては、シールドを確実に取れる必要がある。
【０００４】
また、テレビジョン用配線器具は、利用周波数帯の如何にかかわらず、配線器具の組立性が良好であるとともに、同軸ケーブルの配線器具への結線が容易で、しかも信頼性が高いことは甚だ望ましいことである。
【０００５】
前記した従来のテレビジョン用配線器具は、ＳＨＦ帯での使用にはシールドの確実性が十分でないとともに、結線の作業性が必ずしも良好でないという問題がある。
【０００６】
本発明は、シールドが確実、かつ、高信頼性であるとともに、テレビジョン信号回路モジュールの組立および結線作業が容易なテレビジョン用配線器具を提供することを目的とする。
【課題を達成するための手段】
請求項１の発明のテレビジョン用配線器具は、接栓用凹部および接栓挿通孔を備えたボス部ならびにボス部の両側に一体的に形成された一対の取付部を備えた合成樹脂製の前面カバーと；輪郭がほぼ直方体形状をなして内部が空洞であり、同軸ケーブル接続用の接栓の金属製筒状接触片が一体成形された上面、および、側面に形成された開放面を有し、接栓用凹部内に接栓が配置されるように接栓を接栓挿通孔に挿通させて前面カバーを前面側に装着する金属枠と；金属枠に装着された端子部と；金属枠内部空洞に金属枠の開放面側から収納され、接栓および端子部間に接続されたテレビジョン信号回路モジュールと；金属枠の開放面を覆う金属カバーと；を具備していることを特徴としている。
【０００７】
本発明および以下の各発明において、特に指定しない限り用語の定義および技術的意味は次による。
【０００８】
「テレビジョン用配線器具」とは、テレビターミナル、直列ユニット（中継用）、直列ユニット（端末用）などを含む用語で、いずれもたとえば家屋の屋根に設置したアンテナで受信したテレビジョン信号を、屋内に引き込んだ同軸ケーブルを介して、部屋の壁面に設置したテレビジョン用配線器具に伝送し、さらにテレビジョン用配線器具からテレビジョン受像機へ同軸ケーブルを介して供給するものである。
【０００９】
テレビターミナルは、アンテナとテレビジョン受像機とを１：１で接続するときに用いる。
【００１０】
直列ユニットは、その複数が直列的に順送り形式でアンテナに接続し、各直列ユニットからそれぞれテレビジョン受像機にテレビジョン信号を供給することができる。
【００１１】
直列ユニット（中継用）は、複数の直列ユニットの中間に用いられる。
【００１２】
直列ユニット（端末用）は、複数の直列ユニットの終端に用いられる。
【００１３】
「ボス部」は、テレビジョン用配線器具が壁面に埋設されている状態でフラッシュプレートの窓孔から外部に露出する部分である。
【００１４】
「取付部」は、テレビジョン用配線器具を壁面に埋設するときに取付枠に装着するために用いられる部分である。しかし、本発明において、取付部は、直接壁面に取り付ける構成や、取付枠とは異なる手段を介して取り付ける際に作用する部分であってもよい。
【００１５】
「金属枠」は、その輪郭がほぼ直方体形状をなして内部が空洞であるが、空洞内にはテレビジョン信号回路モジュールを収納し、かつ必要な結線を行う。また、金属枠の少なくとも１面が開放されていて、この開放面から空洞内へテレビジョン信号回路モジュールを収納することができる。しかし、要すれば、開放面は複数の面であってもよい。
【００１６】
さらに、金属枠の上面には、同軸ケーブル用接栓が一体的に形成されている。すなわち、同軸ケーブル接続用の接栓は、中央接触片、絶縁体および筒状接触片が同心的に配設されて構成されるが、筒状接触片が金属枠と一体成形される。一体成形としては、金属枠を注型（ダイキャスト）により製作することができる。また、テレビジョン信号回路モジュールを固定するピンなどの接続手段をも一体に形成することができる。なお、接栓に同軸ケーブルを接続するには、同軸ケーブル用コネクタなどの接続具を用いることができる。
【００１７】
本発明において、前面カバーの取付部がボス部から延在する方向に位置する側面に対してほぼ直角をなす一対の正対する側面のいずれか一方または両方に開放面を形成した場合、残余の正対する一対の側面に端子部を形成することができる。
【００１８】
「端子部」は、同軸ケーブルの中心部の信号線が接続される信号端子と、外側のシールド線を接続するシールド端子とで構成される。
【００１９】
信号端子は、金属枠に対して絶縁関係に配設され、金属枠内に収納されるテレビジョン信号回路モジュールの入力端に接続される。
【００２０】
シールド端子は、金属枠に直接接続されてアースとなる。また、シールド端子は、端子ねじ、押さえ金具およびコイルばねを備えていて、端子ねじを緩めると、コイルばねにより押さえ金具が拡開して、同軸ケーブルのシールド線の挿脱を容易に行えるように構成することができる。
【００２１】
「テレビ信号回路モジュール」は、主として直列ユニットにおいてテレビジョン信号を分岐したり（中継用）、終端処理する（端末用）ために必要な回路を構成しているもので、アンテナ側の端子部と接栓との間に介在する。
【００２２】
テレビジョン信号回路モジュールを落とし込みにより金属枠内に収納することができる。この場合、落とし込みは、同モジュールを開放面から落とし込んだけで必要な電気的接続ができる態様の他に、落とし込んでから、その後に必要な電気的接続を行うのでもよい。接続は、はんだ付けなどの既知の接続手段によることができる。
【００２３】
また、電気的接続によって同モジュールを機械的に支持することができる。
【００２４】
接栓の中央接触片の接続部を金属枠内に突出させるとともに、金属枠に端子部を組み付けて、その接続部を金属枠内に突出させてから、テレビジョン信号回路モジュールを金属枠の開放面から落とし込み、信号端子の接続部および同モジュールの入力端子の間と、中央接触片の接続部および同モジュールの出力端子の間と、同モジュールのアース端子および金属枠の間とを、それぞれはんだ付けなどにより接続することにより、必要部分の接続が行われる。前面カバーは、最後に装着してもよいし、金属枠に最初に装着してもよい。
【００２５】
「金属カバー」は、金属枠の開放面を覆っているもので、テレビジョン信号回路モジュールを金属枠と協働してシールドする。
【００２６】
金属枠の開放面を覆う金属カバーをはめ込みで装着する構成とすることにより、金属カバーを圧入するようにすれば、ねじなどの固着手段を用いることなしに容易に装着できるとともに、しかもシールドを一層確実にすることができる。
【００２７】
金属カバーの周囲を折曲して、金属カバーを浅い箱状に形成すると、金属枠への圧入の際に適度の摩擦力を作用させやすいので、金属枠に対する保持力を高めることができるとともに、金属カバーの曲げに対する強度を高めることができる。
そうして、本発明においては、金属枠に同軸ケーブル用接栓を一体的に形成するとともに、金属枠の開放面を金属カバーで覆い、さらにこの金属枠に前面カバーを装着するように構成したので、テレビジョン信号回路ユニットのシールドが確実で、高い信頼性が得られる。
【００２８】
また、金属枠を中心にして、前面カバー、端子部および金属カバーを金属枠に組み付けることにより、テレビジョン用配線器具を組立できるので、組立性が甚だ良好である。
【００２９】
さらに、端子部、テレビジョン信号回路モジュールおよび金属カバーを金属枠に組み込み、最後に前面カバーを金属枠に装着する構成を採用し、この場合に前面カバーの側壁が金属カバーの一部分を塞ぐような関係に構成すると、金属カバーをはめ込みにしても、金属カバーが不所望に脱落することがなくなる。
【００３０】
さらにまた、本発明においては、テレビジョン信号回路モジュールを前面カバーに対して直角な方向に落とし込んで装着することができる。この場合、前面カバーに対して金属枠を従来におけるシールドケースより小形化できる。このため、前面カバーの取付部の裏面側に十分な配線スペースを確保することができる。
【００３１】
請求項２の発明のテレビジョン用配線器具は、請求項１記載のテレビジョン用配線器具において、前面カバーは、はめ込みにより金属枠に装着されていることを特徴としている。
【００３２】
前面カバーをはめ込むための構造はどのようなものでもよいが、たとえば前面カバーに弾性変形できる係止片を突設し、金属枠に係止片を係止する係止溝を形成することができる。しかし、反対に金属枠にばね性の係止片を突設し、前面カバーに係止片を係止する係止溝を形成してもよい。
【００３３】
そうして、本発明においては、前面カバーをはめ込みにより金属枠に装着するので、組立の作業性が良好である。
【００３４】
また、接栓を金属枠に一体的に形成しているから、前面カバーの構造が極めて簡単化され、はめ込みによる装着が容易になっている。
【００３５】
請求項３の発明のテレビジョン用配線器具は、請求項１または２記載のテレビジョン用配線器具端子部は、信号端子およびシールド端子を備え、信号端子がはめ込みにより金属枠に装着されていることを特徴としている。
【００３６】
本発明において、信号端子は、同軸ケーブルの信号線を接続するための端子であり、はめ込みにより金属枠に装着される。
【００３７】
また、シールド端子は、同軸ケーブルのシールド線を接続するための端子であり、金属枠に対してどのように接続してもよい。
【００３８】
テレビターミナルや直列ユニット（端末用）の場合、端子部は単一でよいが、直列ユニット（中継用）の場合には、テレビジョン信号を次に送る必要があるので、部品の共用化のためには、端子部として左右一対の端子部を形成できるようにしておくことが望ましい。
【００３９】
本発明においては、信号端子が単一および一対のいずれであっても、金属枠に対して、はめ込みにより装着するものである。はめ込みの構造はどのようなものであってもよい。たとえば、端子板および端子板にねじ込んだ端子ねじからなる端子を絶縁端子台に装着し、絶縁端子台に係止片を突設し、金属枠に係止片を係止する係止溝を形成すれば、はめ込みにより装着することができる。しかし、本発明において、端子部の構造はどのようなものであってもよい。
【００４０】
信号端子を左右一対配設する場合には、金属枠に跨座するように一対の信号端子をそれぞれの絶縁端子台を延長して一体に形成したブリッジ部によって連結すれば、金属枠に対して各信号端子を同時にはめ込み装着できる。
【００４１】
本発明は、信号端子をはめ込みにより金属枠に装着するので、組立が容易である。
【００４２】
請求項４の発明のテレビジョン用配線器具は、請求項１ないし３のいずれか一記載のテレビジョン用配線器具において、金属枠、テレビジョン信号回路モジュール、金属カバーおよび端子部は、ユニット化されていることを特徴としている。
【００４３】
本発明においては、予め金属枠、テレビジョン信号回路モジュール、金属カバーおよび端子部からなるユニットを形成して、このユニットに対して前面カバーを装着することにより、組立完成するものである。したがって、ユニット段階でも電気特性を測定し、必要に応じて電気特性を調整できるので、測定および調整の作業性が良好であるとともに、信頼性の高いテレビジョン用配線器具を得ることができる。
【００４４】
請求項５の発明のテレビジョン用配線器具は、請求項１ないし４のいずれか一記載のテレビジョン用配線器具において、端子部は、その一対が前面カバーの取付部側のボス部の両端部に正対するように金属枠に装着されていることを特徴としている。
【００４５】
本発明においては、前面カバーのボス部の取付部側の両端部に正対する位置に端子部を配設しているので、前面カバーの取付部の裏面側に十分な配線スペースを確保でき、同軸ケーブルを無理に湾曲させる必要がないから、電気特性が劣化しにくい。なお、金属枠を中心に必要部品を組み立てる構造であるから、金属枠を小形化できるために、上記の構成を実現できる。
【００４６】
請求項６の発明のテレビジョン用配線器具は、請求項１ないし５のいずれか一記載のテレビジョン用配線器具において、前面カバーは、配線器具の日本工業規格の大角形取付モジュールサイズに対応する１モジュールサイズまたは３モジュールサイズに形成されていることを特徴としている。
【００４７】
本発明においては、上記構成により一般の配線器具と取付寸法の互換性を備えており、したがってこれらの配線器具との組み合わせおよび一般配線器具用の取付枠、配線ボックスおよびフラッシュプレートを用いて壁面に埋設することができる。
【発明の実施の形態】
以下、本発明の実施の形態を図面を参照して説明する。
【００４８】
図１は、本発明のテレビジョン用配線器具の第１の実施形態を示す斜視図である。
【００４９】
図２は、同じく正面図である。
【００５０】
図３は、同じく右側面図である。
【００５１】
図４は、同じく左側面図である。
【００５２】
図５は、同じく背面図である。
【００５３】
図６は、同じく平面図である。
【００５４】
図７は、同じく底面図である。
【００５５】
図８は、同じく一部断面正面図である。
【００５６】
図９は、同じく一部部品を除去した状態の要部断面正面図である。
【００５７】
図において、１０１は前面カバー、１０２は金属枠、１０３は端子部、１０４はテレビジョン信号回路モジュール、１０５は金属カバーである。
【００５８】
なお、図８は、前面カバー１０１を断面で、金属枠の一部を断面で、また金属カバー１０５を除去した状態で、それぞれ示している。
【００５９】
また、図９は、テレビジョン信号回路モジュール１０４およびシールド端子１０３ｂをそれぞれ除去し、金属枠１０２の一部を断面で、それぞれ示している。
【００６０】
前面カバー１０１について
前面カバー１０１は、特に図１、図６および図８を参照して明かなように、合成樹脂製で、ボス部１０１ａ、取付部１０１ｂ、接栓用凹部１０１ｃ、接栓挿通孔１０１ｄおよび前面カバー係止片１０１ｅを備えている。
【００６１】
ボス部１０１ａは、日本工業規格の配線器具の大角形取付モジュールサイズに対応する１モジュールサイズに形成されている。
【００６２】
取付部１０１ｂは、その一対がボス部１０１ａの両端から一体に突出して形成され、それぞれ係合溝１０１ｂ１および係止突起１０１ｂ２を備えている。係合溝１０１ｂ１は、ボス部１０１ａの両端に隣接する位置に配設されていて、テレビジョン用配線器具を金属製の取付枠に装着する場合に用いられる。係止突起１０１ｂ２は、取付部１０１ｂの両端から突出していて、テレビジョン用配線器具を合成樹脂製の取付枠に装着する場合に用いられる。
【００６３】
接栓用凹部１０１ｃは、ボス部１０１ａの上面の中央において円形に形成されている。
【００６４】
接栓挿通孔１０１ｄは、接栓用凹部１０１ｃの中央に形成されている。
【００６５】
前面カバー係止片１０１ｅは、その一対が接栓用凹部１０１ｃの裏面から一体に垂下して形成されている。また、前面カバー係止片１０１ｅは、腕部１０１ｅ１および腕部１０１ｅ１の先端部に形成された係止突部１０１ｅ２からなる。
【００６６】
金属枠１０２について
金属枠１０２は、特に図８および図９を参照して明らかなように、金属枠本体１０２ａおよび接栓１０２ｂからなる。
【００６７】
金属枠本体１０２ａは、輪郭がほぼ直方体形状をなしていて、図９において正面が開放されており、空洞１０２ａ１、接続ピン１０２ａ２、モジュール支承座１０２ａ３、端子部装着用開口１０２ａ４、端子部係止溝１０２ａ５、前面カバー係止溝１０２ａ６および支承段部１０２ａ７などを備えている。
【００６８】
空洞１０２ａ１は、金属枠本体の内部に形成されており、主としてテレビジョン信号回路モジュール１０４を収納するのに寄与する。
【００６９】
接続ピン１０２ａ２は、空洞１０２ａ１の内部に配設されるとともに、開放面に向かって突出していて、テレビジョン信号回路モジュール１０４のアース接続端を金属枠１０２に接続してアースするとともに、テレビジョン信号回路モジュール１０４を固定するために寄与する。
【００７０】
モジュール支承座１０２ａ３は、テレビジョン信号回路モジュール１０４の縁辺を支承する。
【００７１】
端子部装着用開口１０２ａ４は、その一対が金属枠本体１０２ａの図９において底面および両側面にわたって形成されている。
【００７２】
端子部係止溝１０２ａ５は、その一対が金属枠本体１０２ａの両側面に形成されている。
【００７３】
前面カバー係止溝１０２ａ６は、図８に示すように、その一対が金属枠本体１０２ａの両側面に形成されている。
【００７４】
支承段部１０２ａ７は、金属枠本体１０２ａの開放面の周囲に形成されている。
【００７５】
一方、接栓１０２ｂは、特に図６および図８を参照して明かなように、金属枠本体１０２ａに一体的に形成されており、筒状接触片１０２ｂ１、絶縁体１０２ｂ２、中央接触片１０２ｂ３および接栓接続部１０２ｂ４を備えている。
【００７６】
筒状接触片１０２ｂ１は、金属枠本体１０２ａと一体成形されている。
【００７７】
中央接触片１０２ｂ３は、絶縁体１０２ｂ２を介して筒状接触片１０２ｂ１内に収納され、その一部は接栓接続部１０２ｂ４として金属枠本体１０２ａの空洞１０２ａ１内に突出している。
【００７８】
端子部１０３について
端子部１０３は、主として図１、図３、図４、図８および図９を参照して明かなように、信号端子１０３ａおよびシールド端子１０３ｂからなり、一対が金属枠１０２に配設されている。
【００７９】
信号端子１０３ａは、絶縁端子台１０３ａ１、ブリッジ部１０３ａ２、端子接続部１０３ａ３を備えた端子板、端子ねじ１０３ａ４、ワッシャ１０３ａ５および端子部係止片１０３ａ６からなる。
【００８０】
絶縁端子台１０３ａ１は、その一対がブリッジ部１０３ａ２を介して対向した状態でＵ字状に一体成形により連結され、端子板、端子板にねじ込んだ端子ねじ１０３ａ４およびワッシャ１０３ａ５を支持している。
【００８１】
端子部係止片１０３ａ６は、絶縁端子台１０３ａ１から一体に突出して形成されており、先端に係止突部を備えている。
【００８２】
そうして、一対の信号端子１０３ａは、ブリッジ部１０３ａ２を介して全体としてＵ字状をなし、図９に示すように、ブリッジ部１０３ａ２が金属枠本体１０２ａの図９において底面に外側から当接し、絶縁端子台１０３ａ１が端子部装着用開口１０２ａ４からはめ込まれるとともに、端子部係止片１０３ａ６が端子部係止溝１０２ａ５に金属枠１０２の内側から係止することにより、金属枠１０２に装着されている。また、同軸ケーブルの信号線は、端子板とワッシャとの間に挟持されて接続する。端子接続部１０３ａ３は、金属枠１０２の空洞１０２ａ１内に突出する。
【００８３】
一方、シールド端子１０３ｂは、図１および図２に示すように、端子ねじ１０３ｂ１、押さえ金具１０３ｂ２コイルばね１０３ｂ３およびガイド片ｓを備え、信号端子１０３ａに近接して配設されている。そして、端子ねじ１０３ｂ１は、金属枠本体１０２ａに直接ねじ込まれている。
【００８４】
押さえ金具１０３ｂ２は、そのガイド片ｓが金属枠本体１０２ａの底部に形成された脚部１０２ａ１、１０２ａ１の通孔に挿通自在に挿入されて、シールド線の挿脱の容易さを確保している。
【００８５】
そうして、同軸ケーブルのシールド線は、絶縁体および信号線を内抱した状態で、押さえ金具１０３ｂ２の下に挿入され、端子ねじ１０３ｂ１をねじ込むことにより、押さえ金具１０３ｂ２を介して金属枠１０２に圧接されて接続する。なお、端子ねじ１０３ｂ１を緩めると、コイルばね１０３ｂ３によって押さえ金具１０３ｂ２が金属枠１０２から浮き上がるため、シールド線の挿脱が容易になる。
【００８６】
テレビジョン信号回路モジュール１０４について
テレビジョン信号回路モジュール１０４は、配線基板１０４ａおよび回路部品１０４ｂからなる。
【００８７】
配線基板１０４ａは、アース接続端１０４ａ１、入力接続端１０４ａ２、出力接続端１０４ａ３および印刷配線パターン１０４ａ４を備え、印刷配線パターン１０４ａ４によって所要の回路を構成するよう回路部品１０４ｂを実装している。
【００８８】
そうして、金属枠本体１０２ａの空洞１０２ａ１内に落とし込むと、支承座１０２ａ３に裏面が当接して支持される。この状態で、アース接続端１０４ａ１が接続ピン１０２ａ２に挿入し、入力接続端１０４ａ２が端子板の端子接続部１０３ａ３に近接し、出力接続端１０４ａ３が接栓接続部１０２ｂ４に近接する。次に、アース接続端１０４ａ１および接続ピン１０２ａ２の間と、入力接続端１０４ａ２および端子接続部１０３ａ３の間と、出力接続端１０４ａ３および接栓接続部１０２ｂ４の間とを、それぞれはんだ付けして接続する。
【００８９】
金属カバー１０５について
金属カバー１０５は、図１および図２に示すように、金属枠本体１０２ａの開放面を閉止するもので、金属枠本体１０２ａの開放面の周囲に形成された支承段部に摩擦力により支承される。なお、図示していないが、金属枠１０５は、その周囲が折曲されて浅い箱状をなしている。そして、折曲縁が支承段部１０２ａ７に支承されている。
【００９０】
金属枠１０２に対する前面カバー１０１の装着について
図８を参照して説明する。前面カバー係止片１０１ｅを金属枠１０２の前面カバー係止溝１０２ａ６に合わせて、前面カバー１０１の接栓挿通孔１０１ｄを金属枠１０２の接栓１０２ｂに裏面側から挿通させながら押し込むと、やがて前面カバー係止片１０１ｅが金属枠１０２の前面カバー係止溝１０２ａ６に係止し、これだけで、前面カバー１０１の金属枠１０２に対する装着は終了する。前面カバー係止片１０１ｅは、その弾力に抗して変形して金属枠１０２の側面に摺接しながら前面カバー係止溝１０２ａ６の位置にきたときに、自らの弾力によって前面カバー係止溝１０２ａ６に係止するからである。前面カバー係止片１０１ｅの係止突部１０１ｅ２のテーパーを脱落側に大きくしておくことにより、不所望な脱落を防止することができる。
【００９１】
前面カバー１０１が金属枠１０２に装着されている状態で、前面カバー１０１の側面が金属カバー１０５の上部を押さえるので、金属カバー１０５が金属枠１０２から不所望に脱落するようなことはない。
【００９２】
図１０は、本発明のテレビジョン用配線器具の第２の実施形態を示す斜視図である。
【００９３】
図１１は、同じく正面図である。
【００９４】
図１２は、右側面図である。
【００９５】
図１３は、同じく背面図である。
【００９６】
図１４は、同じく平面図である。
【００９７】
図において、図１ないし図９と同一部分については同一符号を付して説明は省略する。
【００９８】
本実施形態は、前面カバー１０１’のボス部１０１ａ’を日本工業規格の配線器具の大角形取付モジュールサイズに対応する３モジュールサイズに形成している点で異なる。
【００９９】
また、前面カバー１０１’の下面には、支持脚１０１ｄが一体成形されて金属枠１０２’側へ垂下していて、金属枠１０２’を固定している。
【０１００】
金属枠１０２’は、各接栓１０２ｂ、１０２ｂに対して共通に形成されており、下面が開放されている。
【０１０１】
したがって、金属カバー１０５’は、金属枠１０２’の下面の開放面を覆うようにはめ込まれる。
【０１０２】
端子部１０３は、その一対が金属枠１０２’の両側面に配設されている。
【０１０３】
テレビジョン信号回路モジュールは、図示しないが、２個の接栓１０２ｂ、１０２ｂに対して共通の配線基板を用いて形成され、その入力接続端は信号端子１０３ａに、出力接続端は接栓１０２ｂ、１０２ｂに、さらにアース接続端は金属枠１０２にそれぞれ接続されている。同軸ケーブルのシールド線を接続するシールド端子１０３ｂが金属枠１０２に接続し、したがって金属枠１０２を介してテレビジョン信号回路モジュールのアース接続端に接続している点は、第１の実施形態と同様である。
【発明の効果】
請求項１の発明によれば、シールドが確実で、しかも高い信頼性が得られるとともに、テレビジョン信号回路モジュールの組立および結線作業が容易で、金属枠を従来より小形化でき、前面カバーの取付部の裏面側に十分な配線スペースを確保したテレビジョン用配線器具を提供することができる。
【０１０４】
請求項２の発明によれば、加えて前面カバーをはめ込みで金属枠に装着したことにより、組立が容易なテレビジョン用配線器具を提供することができる。
【０１０５】
請求項３の発明によれば、加えて端子部が信号端子およびシールド端子を備え、信号端子をはめ込みにより金属枠に装着したことにより、組立が容易なテレビジョン用配線器具を提供することができる。
【０１０６】
請求項４の発明によれば、加えて金属枠、テレビジョン信号回路モジュール、金属カバーおよび端子部をユニット化したことにより、ユニット段階で電気特性を測定し、必要に応じて電気特性を調整することが可能で、信頼性の高いテレビジョン用配線器具を提供することができる。
【０１０７】
請求項５の発明によれば、加えて一対の端子部が前面カバーの取付部側のボス部の両端部に正対するように金属枠に装着したことにより、前面カバーの取付部の裏面側に十分な配線スペースを確保でき、同軸ケーブルを無理に湾曲させる必要がないから、電気特性が劣化しにくいテレビジョン用配線器具を提供することができる。
【０１０８】
請求項６の発明によれば、加えて前面カバーを日本工業規格の配線器具の大角形取付モジュールサイズに対応する１モジュールサイズまたは３モジュールサイズに形成されていることにより、一般の配線器具と取付寸法の互換性を備え、一般用配線器具との組み合わせができるとともに、一般配線器具用の取付枠、配線ボックスおよびフラッシュプレートを用いて壁面に埋設可能なテレビジョン用配線器具を提供することができる。
【図面の簡単な説明】
【図１】  本発明のテレビジョン用配線器具の第１の実施形態を示す斜視図
【図２】  同じく正面図
【図３】  同じく右側面図
【図４】  同じく左側面図
【図５】  同じく背面図
【図６】  同じく平面図
【図７】  同じく底面図
【図８】  同じく一部断面正面図
【図９】  同じく一部部品を除去した状態の要部断面正面図
【図１０】  本発明のテレビジョン用配線器具の第２の実施形態を示す斜視図
【図１１】  同じく正面図
【図１２】  同じく右側面図
【図１３】  同じく背面図
【図１４】  同じく平面図
【図１５】  特公平７−１０１６２３号公報に記載されている従来のテレビジョン用配線器具を示す斜視図
【符号の説明】
１０１…前面カバー
１０１ａ…ボス部
１０１ｂ…取付部
１０１ｂ１…係合溝
１０１ｂ２…係止突起
１０１ｃ…接栓用凹部
１０１ｄ…接栓挿通孔
１０１ｅ…前面カバー係止片
１０１ｅ１…腕部
１０１ｅ２…係止突部
１０２…金属枠
１０２ａ…金属枠本体
１０２ａ１…空洞
１０２ａ２…接続ピン
１０２ａ３…支承座
１０２ａ６…前面カバー係止溝
１０２ａ７…脚部
１０２ｂ…接栓
１０２ｂ４…接栓接続部
１０３…端子部
１０３ａ…信号端子
１０３ｂ…シールド端子
１０３ａ１…絶縁端子台
１０３ａ２…ブリッジ部
１０３ａ３…端子接続部
１０４…テレビジョン信号回路モジュール
１０４ａ…配線基板
１０４ｂ…回路部品
ｓ…自由端
【図１】
0003685435.tif 000002
【図２】
0003685435.tif 000003
【図３】
0003685435.tif 000004
【図４】
0003685435.tif 000005
【図５】
0003685435.tif 000006
【図６】
0003685435.tif 000007
【図７】
0003685435.tif 000008
【図８】
0003685435.tif 000009
【図９】
0003685435.tif 000010
【図１０】
0003685435.tif 000011
【図１１】
0003685435.tif 000012
【図１２】
0003685435.tif 000013
【図１３】
0003685435.tif 000014
【図１４】
0003685435.tif 000015
【図１５】
0003685435.tif 000016